(57)【要約】  【課題】  安価な手段により充電によって昇温している電池に触れないよう警告を発する機能を持たせる。また、前記警告を検知して充電を停止することによって、超急速充電を行った時、充電中に蓄電池の温度が規定値以上に上昇するのを抑制し、蓄電池の劣化を抑制する手段を提供する。  【解決手段】  円筒形アルカリ蓄電池の正極端子の側面または電池の側面のうち正極端子に近い側面端部に、温度が規定値以上になったときに変色し、一旦変色した後温度が規定値以下に低下したときに再度変色して元の色に戻る示温塗料を配置する。また、円筒形アルカリ蓄電池用充電器の正極出力端子または円筒形アルカリ蓄電池の正極端子に近い側面端部に当接する位置に配置した熱の良導体からなる部材の表面に前記示温塗料を配置する。【選択図】    なし【特許請求の範囲】
【請求項１】
正極端子の側面、または、電池の側面のうち正極端子に近い側面端部に、温度が規定値以上になったときに変色し、一旦変色した後に温度が規定値以下に低下したときに元の色に戻る示温塗料を配置したことを特徴とする円筒形アルカリ蓄電池。
【請求項２】
電池温度が規定値を超えている時に電池温度が高温であることを文字または図で表示する機能を、前記示温塗料に持たせたことを特徴とする請求項１に記載の円筒形アルカリ蓄電池。
【請求項３】
正極と正極端子とを電気的に導通する回路に、電池内圧力が規定値以上に上昇した時に前記回路をＯＮからＯＦＦに切り替え、電池内圧力が低下して規定値を下回った時に前記回路をＯＦＦからＯＮに切り替える圧力スイッチ機能を組み込んだ請求項１または請求項２に記載の円筒形アルカリ蓄電池
【請求項４】
円筒形アルカリ蓄電池用の充電器であって、該充電器の正極出力端子または円筒形アルカリ蓄電池の正極端子に近い側面端部に当接する位置に配置した熱の良導体からなる部材の表面に前記示温塗料を配置したことを特徴とする円筒形アルカリ蓄電池用充電器。
【発明の詳細な説明】
【技術分野】
【０００１】
本発明は、ニッケル水素蓄電池、ニッケルカドミウム蓄電池等の円筒形アルカリ蓄電池およびその充電器に関するものである。
【背景技術】
【０００２】
近年携帯電話等の小型情報端末機器、パーソナルコンピュータ、電動工具等の電源として、ニッケル水素蓄電池やニッケルカドミウム電池等のアルカリ蓄電池が広く用いられている。また、電池の持つ容量を使いきった後にも、できるだけ短時間で充電を済ませて再度電池を使いたいという要望に呼応して、充電のスピードアップに対する要望が強い。
【０００３】
アルカリ蓄電池を前記のような超急速で充電した場合、充電中の電池温度が上昇する。アルカリ蓄電池の場合、電池の温度が６０〜７０℃を超えて上昇すると活物質やセパレータが変質したり、電解液が消耗したりして電気的性能の低下を来す虞があり好ましくない。
【０００４】
近年アルカリ蓄電池の充電において、容量を使い切った電池の充電を３０分間以内で完了させるという超急速充電を可能としたアルカリ蓄電池が提案されている。該提案によれば、密閉型アルカリ蓄電池に電池内圧力が規定値以上に上昇した時に充電回路をＯＮからＯＦＦに切り替え、前記電池内圧力が低下して規定値を下回った時に充電回路をＯＦＦからＯＮに切り替える圧力スイッチ機能を圧力スイッチを内蔵させることによって、超急速充電を行った際にも充電中の温度上昇を抑制することができるとしている。（例えば特許文献１参照）
【特許文献１】WO 02/35618 A1 号公報（FIG.2A、FIG.2B)  ただし、該圧力スイッチ機能を備える蓄電池であっても周囲温度が２５℃を超える条件下で超急速充電によって充電しようとすると電池の表面温度が６０〜７０℃にまで上昇するのを避けることは難しい。このように周囲温度が高い雰囲気において超急速充電を行う時に電池の温度を６０℃未満に設定しようとすると充電電気量が低く抑えられ、十分に充電ができない虞がある。また、周囲温度が３０℃を超えるような高温下で超急速充電した場合に、充電中の蓄電池の温度が７０℃を超えることが皆無とはいえない。電池温度が７０〜８０℃を超えて上昇しているのを知らずに、充電中の電池あるいは充電を終了して充電器から電池を取り外す時に電池に触れて異常な熱さを感じたり、電池温度がさらに高温になった場合には火傷をする虞もあり好ましくない。
【０００５】
前記蓄電池に圧力スイッチ機能を持たせる以外に、充電回路に感温フェライト、感温半導体（ＣＴＲ）や感温抵抗体（ＰＴＣ素子）を組み込むことによって充電器に温度スイッチ機能を持たせる試みもある。しかし、この方法をもってしても超急速充電を行おうとすると、前記蓄電池に圧力スイッチを設ける場合と同様、電池の表面温度が６０〜７０℃にまで上昇するのを避けることは難しい。また、前記特許文献１においては、充電器に歪み計を配置し被充電電池に規定値を超える外形の歪みが発生したのを検知することによって充電を終了させることが提案されている。しかし、この方法は機構的に複雑であって、充電器が高価なものとなる欠点がある。
【発明の開示】
【発明が解決しようとする課題】
【０００６】
本発明は、前記従来の円筒形アルカリ蓄電池を超急速で充電しようとする試みの欠点に鑑みてなされたものであり、円筒形アルカリ蓄電池やアルカリ蓄電池用充電器を機構面で複雑な変更を行うことなく、該蓄電池を超急速充電したときに、電池表面のうち最も高温となった部分の温度が規定値以上であるかまたは規定値を下回っているかを一目で分かるようにすることによって、充電によって規定値以上の温度にまで昇温している電池に触れないよう警告を発する機能を持たせたり、充電終了時点に至ったことを告知する機能を付与せんとするものである。
【課題を解決するための手段】
【０００７】
本発明に係る円筒形アルカリ蓄電池は、正極端子の側面または電池側面のうち、正極端子に近い側面端部（以下正極側側面端部と記述する）に、温度が規定値以上になったときに変色し、一旦変色した後に温度が規定値以下に低下したときにもとの色に戻る示温塗料を配置したことを特徴とする円筒形アルカリ蓄電池である。なお、ここでいう変色には、いわゆる発色（電池温度が規定値を超えたときに着色する）も含まれる。
【０００８】
本発明に係る円筒形アルカリ蓄電池は、電池温度が規定値を超えている時に、電池温度が高温であることを文字または図で表示する機能を前記示温塗料に持たせたことを特徴とする円筒形アルカリ蓄電池である。
【０００９】
また、本発明に係る円筒形アルカリ蓄電池は、前記示温塗料を配置した円筒形アルカリ蓄電池であって、正極と正極端子とを電気的に導通する回路に、電池内圧力が規定値以上に上昇した時に前記回路をＯＮからＯＦＦに切り替え、電池内圧力が低下して規定値を下回った時に前記回路をＯＦＦからＯＮに切り替える圧力スイッチ機能を組み込んだ円筒形アルカリ蓄電池である。
【００１０】
本発明に係る円筒形アルカリ蓄電池用急速充電器は、円筒形アルカリ蓄電池用の充電器であって、超急速充電に必要な出力特性を持ち、正極出力端子または電池の側面のうち正極端子に近い側面端部に当接する位置に配置した熱の良導体からなる部材の表面に前記示温塗料を配置したアルカリ蓄電池用充電器である。
【発明の効果】
【００１１】
本発明の請求項１および請求項４によれば、充電中の蓄電池の温度が規定値以上であるか否か一目で分かり、規定値を超えて昇温した蓄電池に触れることを防ぐのに有効である。さらに、示温塗料の変色を充電を停止させる時期を知らせる信号として適用することもできる。
【００１２】
本発明の請求項２によれば、蓄電池の温度が高温状態にあり危険であることを効果的にユーザーに知らせることができる。
【００１３】
本発明の請求項３によれば、充電中の蓄電池の温度が規定値を超えるのを極力避けるのに有効である。
【発明を実施するための最良の形態】
【００１４】
図１は、本発明に係る円筒形アルカリ蓄電池１の外観を示す図である。蓄電池１のキャップ状正極端子２の側面、または、正極側側面端部４に、金属製電槽の表面に直に示温塗料５を配置する。ここでいう正極側側面端部４とは、電池の側面２のうち、電池の側面２と正極端子３が配置された電池の上面６が接する稜線７に接する稜線７の近傍を指し、本発明においては、前記示温塗料５を前記側面端部４の表面に稜線７にほぼ接するように配置する。該配置とすることによって、充電中においても電池に配置した示温塗料を外部から見ることができる。図１では、正極端子２端子の側面または正極側側面端部４の一部に示温塗料を配置する例を示したが、示温塗料を円筒形電池の正極端子２端子の側面または正極側側面端部４の全周に亘って配置すると、電池が充電器に対してどのように挿入された場合でも示温塗料を外から見ることができるので、より好ましい実施形態である。
【００１５】
また、円筒形アルカリ蓄電池を超急速で充電した場合、電池表面のうち正極端子が電池の内部の温度を良く反映し、最も高温となる。さらに、電池側面のうち正極端子に近い端部（正極側側面端部４）も正極端子に近い温度を呈する。従って、前記配置とすることによって、示温塗料に蓄電池内部温度を良く反映し、かつ、蓄電池の表面のうち、最も高温の部分の温度を表示させることができる。  
【００１６】
ちなみに、超急速充電時の電池側面の温度は、正極側側面端部から離れるに従って低くなり負極側端子（蓄電池の底面）に近い電池側面の温度は、前記正極側側面端部に比べて３〜６℃程度低い。これは、充電時に発生するガスの吸収が極板の上辺（正極端子側）近傍で盛んであり、ガス吸収による発熱が極板群の上辺に偏るためであろうと考えられる。そのために極板群の上辺に熱の良導体であるニッケル製の導線で接続された正極端子や、あるいは極板群の上辺に近接している正極側側面端部の温度が高くなるものと考えられる。このように、正極端子および正極側側面端部の温度が電池内部の高温部の温度を良く反映しているものと考えられる。
【００１７】
前記構成において正極端子または正極側側面端部に配置した示温塗料の変色温度を７０〜８０℃のものを適用すれば、火傷をする虞のある温度にまで昇温した電池にうっかり触れることを防ぐことができる。該目的のためには、示温塗料が、電池が高温であることを文字または図で表示する機能を有することが好ましい。１例を図２に示す。例えば電池温度が７０℃を超えたときに、図２に示すように電池１の正極側側面端部に配置した示温塗料が高温注意という文字を発色する。示温塗料に該機能を持たせることによって、ユーザーに対してより効果的に危険を知らせることができる。図２では文字で表示する例を示したが、蓄電池の温度が高温であることを一目で分かる図（絵でもよい）で表示することも有効である。
【００１８】
さらに、前記構成において変色温度が６０〜７０℃あるいは５０〜７０℃のものを適用すれば、充電中の蓄電池の温度（高温部の温度）が蓄電池にとって好ましくない温度を超えているか否かを一目で知ることができ、もし、超えておれば直ちに充電を終了させることによって蓄電池が好ましくない高い温度に置かれるのを抑制することができる。本発明によれば、このように、蓄電池や充電器に複雑な機構を設けることなく、充電終了時点を知ることができる。
【００１９】
本発明においては、示温塗料の外側を熱収縮性の透明または半透明の樹脂フィルム８、例えばヒシチューブで被覆することが好ましい。また、電池の表面を不透明な外装ラベルで被覆する場合は、前記示温塗料が見えるように、外装ラベルが示温塗料と重なる部分に窓を開けるか、またはその箇所のみ外装ラベルを透明にすることが望ましい。示温塗料の変色温度は５０〜８０℃の範囲にあるものを適宜選択して適用することができる。また、変色温度の異なる示温塗料を同時に複数配置することによって１種類の示温塗料を配置するよりも詳細な温度情報を得ることもできる。例えば、変色温度が５０〜７０℃のものと７０〜８０℃の２種類を同時に適用することによって、充電の終了時点を知るとともに電池に触れても構わない温度か否かを知ることができる。
【００２０】
示温塗料は、市販のものを適用することができ、その形態は特に限定されるものではない。例えば、ペイント状、クレヨン状、ラベル、ワッペンいずれの形態のものも適用可能である。これらの示温塗料は、例えば日油技研工業株式会社よりサーモペイント、サーモテープ、サーモシート、サーモラベル、サーモワッペン等の商品名で市販されているものである。本発明に適用する示温塗料は、被測定体（本発明ではアルカリ蓄電池）の温度が規定値以上に上昇したときに変色し、示温塗料が一旦変色した後被測定体が冷却され、その温度が規定値以下に低下したときに色が元の色に戻る（以下単に色の復帰と記述する）もので、該変色と復帰を繰り返し行う機能を持つものである。該示温塗料の変色は、蓄電池の温度が規定値以上に昇温していることを知らせ、色の復帰は蓄電池の温度が規定値以下に低下していることを知らせる信号となる。
【００２１】
本発明に係るアルカリ蓄電池は、前記示温塗料を金属製電槽の外面に直に配置した円筒形アルカリ蓄電池であることが好ましい。このように、金属製電槽の外面に直に示温塗料を配置することによって時間的な遅れがない状態で電池表面の温度が規定値以上に上昇したことを知ることができ、また、前記示温塗料の外側を、透明もしくは半透明な樹脂フィルムで被覆したアルカリ蓄電池である。示温塗料の外面を透明又は半透明なフィルムで被覆することによって蓄電池の使用中に示温塗料が摩耗したり、酸、アルカリ、有機溶剤等に触れたりして機能が劣化するのを防ぐことができる。
【００２２】
本発明に係る円筒形アルカリ蓄電池は、正極端子の側面または電槽側面のうち正極端子に近い側面端部に、温度が規定値以上になったときに変色し、一旦変色した後に温度が規定値以下に低下したときにもとの色に戻る示温塗料を配置した円筒形アルカリ蓄電池であって、正極と正極端子とを電気的に導通する回路に、電池内圧力が規定値以上に上昇した時に前記回路をＯＮからＯＦＦに切り替え、電池内圧力が低下して規定値を下回った時に前記回路をＯＦＦからＯＮに切り替える圧力スイッチ機能を組み込んだ蓄電池である。該構成とすることによって、充電中の蓄電池の温度が規定値を超えて上昇するのを極力抑えることができる。
【００２３】
図３は、圧力スイッチ２２を備えた円筒形アルカリ蓄電池２１の内部構造を模式的に示す図である。図３において、２９は正極端子を兼ねるキャップ、３０は負極端子を兼ねる金属製電槽である。正極板１０と正極端子２９の間は正極リード片９、金属製接続部材２３、該接続部材２３に接合された金属製接続リング２４および正極端子と接合された金属蓋２５を介して接続している。接続部材２３はゴム製弾性体２８の押圧力によって図の下方に押し下げられており、該押圧力によって接続部材２３に接合された金属製接続リング２４が金属蓋２５に物理的にコンタクトしている。蓄電池の内部空間は合成樹脂成形体２６とその筒状透孔２７に挿通させた接続部材２３によって気密に密封されている。蓄電池内部にガスが蓄積し、内圧が高まると、前記弾性体の押圧力に抗して接続部材２３が図の上方に押し上げられ、接続部材に接合した接続リング２４と金属蓋２５が離れることによって回路が遮断されＯＦＦの状態になる。蓄電池の内圧が低下すると接続部材２３が下方に押し下げられて再び接続リングと金属蓋２５がコンタクトし回路がＯＮの状態になる。
【００２４】
本発明においては、前記示温塗料を蓄電池の表面ではなく、充電器の蓄電池装着部に配置することもできる。図４は、本発明に係る円筒形アルカリ蓄電池用充電器の一実施形態を示す図である。入力コード３５を備える充電器本体３１の正極出力端子３４に熱の良導体からなる部材３６を連結させ、該部材３６の表面に示温塗料５を配置する。あるいは、円筒形蓄電池の装着部３２の、蓄電池１の正極端子側の側面端部４に当接する部分に、熱の良導体からなる部材３７を取り付け、該部材３７の表面に示温部材５を配置することもできる。熱の良導体からなる部材を形成する材料としては、例えば銅やアルミニウムを適用することができる。円筒形アルカリ蓄電池用充電器を該構成とすることによって、示温塗料を蓄電池の表面に配置したのと同様の機能を得ることができる。
【００２５】
また、本発明に係る円筒形アルカリ蓄電池用充電器は、超急速充電に必要な出力特性を持ち、充電開始後規定の時間が経過した時点で警報信号を発する機能を持つことが好ましい。該構成とすることによって充電中の電池を監視することなく、電池の温度が規定値を超えて上昇し、前記示温塗料が変色しそうな時期を直前に知り、示温塗料が変色したのを確認して充電を停止することができる。このように、示温塗料の変色を充電停止の信号として使うことができる。
【００２６】
（実施例１）
容量１８００ｍＡｈのＡＡサイズの円筒形ニッケル水素蓄電池の金属製電槽の正極側側面端部に変色温度が６０℃のサーモラベルを貼付した。その後、電池の側面を透明な熱収縮性チューブ（ヒシチューブ）で被覆した。該電池を室温（周囲温度２８℃）において７２００ｍＡ（４ＩｔＡに相当）で充電した。蓄電池の表面に貼付したサーモラベルが変色（明るい黄身赤から暗い茶紫に変色）した時点（充電開始後１０分）で充電を停止した。充電開始後１０．９分後に示温塗料の色が復帰した。なお、蓄電池の正極側側面端部に温度センサーを取り付け充電中の温度をモニターした。
【００２７】
（実施例２）
容量１８００ｍＡｈのＡＡサイズの円筒形ニッケル水素蓄電池の金属製電槽の正極側側面端部に変色温度が７０℃のサーモラベルを貼付した。その後、電池の側面を透明な熱収縮性チューブ（ヒシチューブ）で被覆した。該電池を室温（周囲温度２８℃）において７２００ｍＡ（４ＩｔＡに相当）で充電した。充電開始後１１分間経過した時点でタイマースイッチにより充電を停止した。充電開始後１０．６分後にサーモラベルが変色（赤から暗い茶紫に変色）し、充電開始後１３．５分後にサーモラベルの色が復帰した。なお、蓄電池の正極側側面端部に温度センサーを取り付け充電中の温度をモニターした。
【００２８】
（比較例１）
比較のために、サーモラベルを貼付しなかった他は、同一の構成の蓄電池を同温度において７２００ｍＡで１６分間充電した。
【００２９】
図５に蓄電池の温度をモニターした結果を示す。実施例１の場合、充電停止後も蓄電池の表面温度がわずかに上昇したが充電停止に若干遅れて温度低下に転じ、図５に示したように蓄電池温度が６０℃を超えてから約１分後に６０℃以下に低下し同時に示温塗料の色が復帰した。実施例２の場合は充電停止後２．５分後に蓄電池の温度が７０℃以下に低下すると同時に示温塗料の色が復帰した。比較例１の場合は、図５に示したように充電中の蓄電池の温度が１００℃を超えた。
【００３０】
実施例１に示した実施形態によれば、充電中の蓄電池の温度が規定値（実施例１の場合は６０℃）を超えたことを一目見て知ることができ、示温塗料が変色したことを知って充電を停止することによって、蓄電池が好ましくない高い温度に長時間置かれるのを防ぐことができる。実施例２に示した実施形態によれば、充電が停止されたあと、蓄電池の温度が規定値（実施例２の場合は７０℃）以下に低下していることを一目見て知ることができ、目視により電池に触れても安全であることを確認することができる。これに対して比較例１の場合は、充電中に長時間に亘り蓄電池の温度が好ましい温度範囲の上限（実施例１では６０℃）を超えてしまう。また、蓄電池の温度が高温（比較例１では１００℃を超えている。）になっているのを知らずに電池に触れ、異常な熱さを感じる虞がある。
【００３１】
また、実施例１において、充電器に充電開始後８〜９分後に示温塗料が変色することが近いことを知らせる警報機能を設けておけば、充電中連続して監視することなく、変色が起きる時期を直前に知ることができる。
【００３２】
（実施例３）
容量１８００ｍＡｈのＡＡサイズの円筒形ニッケル水素蓄電池であって、前記図２に示した動作圧力が２.４メガパスカル（ＭＰａ）の圧力スイッチ２２を備えたＡＡサイズの円筒形ニッケル水素蓄電池２１を試験に供した。
【００３３】
前記圧力スイッチを備えたアルカリ蓄電池の金属製電槽の正極側側面端部に変色温度が６０℃のサーモラベルを貼付した。その後、電池の側面を前記ヒシチューブで被覆した。該電池を室温（周囲温度２８℃）において７２００ｍＡ（４ＩｔＡに相当）で充電した。充電開始後１２．７分後に蓄電池の表面に貼付したサーモラベルが変色し、その時点で充電を停止した。なお、蓄電池の正極側側面端部に温度センサーを取り付け充電中の温度をモニターした。
【００３４】
（比較例２）
比較のために、サーモラベルを貼付しなかった他は、実施例３と同一の構成の蓄電池を同温度において７２００ｍＡで１６分間充電した。
【００３５】
実施例３および比較例２の充電中の蓄電池の温度をモニターした結果を図６に示す。図６に示したように、実施例３は、前記実施例１に比べて充電時間を長くすることができる（このことは、実施例３の方が実施例１に比べて充電電気量が大きいことを意味している。）。実施例１に比べ、実施例３の充電時間が長くできたのは、実施例３において圧力スイッチ機能の作用により、実施例１に比べて充電中の蓄電池の温度上昇が抑制された効果によるものである。さらに、実施例３においては充電中に蓄電池の温度が好ましい温度範囲の上限（実施例２では６０℃）を超えるのが極めて短時間に限られている。このことは、実施例３の場合、圧力スイッチの作用により、充電中の蓄電池の温度上昇速度が小さくなったことと、示温塗料が変色したときに直ちに充電を停止したことによるものである。比較例２は、圧力スイッチの作用によって比較例１に比べて充電中の蓄電池温度の上昇は抑制されている、しかし、充電中の蓄電池温度が徐徐にではあるが温度が上昇し、６０℃を若干超えた。実施例３のように圧力スイッチを備える蓄電池に示温塗料を配置し示温塗料が変色したことを検知して充電を停止することによって、充電中に蓄電池の温度が好ましい温度範囲の上限を超えるのを極力避けることができる。
【００３６】
（その他の実施形態）
前記実施例において、蓄電池の表面に変色温度は異なる複数の示温塗料、たとえば変色温度が６０℃と７０℃あるいは５５℃と７０℃の２種類の示温塗料を同時に貼付することによって、蓄電池の温度範囲が好ましい温度範囲の上限を超えているか否か、蓄電池の温度が電池に触れても安全な温度以下に低下しているか否かを同時に一目で知ることができる。あるいはデジタルサーモテープ（温度を数字で表示）を適用することによってより詳しい情報を得ることができる。
【００３７】
図４は、本発明に係るアルカリ蓄電池用充電器の一実施形態を示す図である。充電器は、出力端子３４（図では正極の出力端子のみを示した。負極の出力端子は隠れて見えない）を備えた本体３１の他に入力用コード３５および蓄電池装着部３２を備える（図４では蓄電池装着部が本体３１から取り外し可能な例を示したが、蓄電池装着部が本体に一体となっていてもよい）。図４に示すように、蓄電池１に示温塗料を配置せずに、正極端子３４に連結した熱の良導体からなる部材３６の表面に示温塗料を配置することがきる。また、合成樹脂の成形体からなる蓄電池装着部３２の、蓄電池の正極側側面端部に当接する位置に、熱の良導体からなる部材３７を取り付け、その表面に示温塗料５を配置することもできる。部材３７は熱の良導体である金属製であり、特に銅やアルミニウムのような熱伝導に優れた材料が望ましい。図４に示したように部材の一端を外から見える位置に導出して該導出部に示温塗料を配置することによって充電中においても外部から示温塗料を見ることができる。
【００３８】
前記実施例では記載しなかったが、前記のようにキャップ状正極端子の側面に示温塗料を配置することも有効である。この場合適用する示温塗料は、クレヨンタイプやペイントタイプが好適である。また、前記もように電池の温度が規定値を超えていることを文字や図で表示することもできる。さらに、充電時の周囲温度も特に限定されるものではなく、蓄電池にとって好ましくない温度以下の範囲であればいずれの温度においても有効である。
【図面の簡単な説明】
【００３９】
【図１】本発明に係る円筒形アルカリ蓄電池の外観を示す図である。
【図２】本発明に係る円筒形アルカリ蓄電池の外観（部分）を示す図である。
【図３】アルカリ蓄電池内に組み込まれた圧力スイッチの構成例を示す図である。
【図４】本発明に係る充電器の構成例を模式的に示す図である。
【図５】本発明の１実施形態および比較例に係るアルカリ蓄電池を充電中した時の蓄電池の温度を示すグラフである。
【図６】本発明の１実施形態および比較例に係るアルカリ蓄電池を充電中した時の蓄電池の温度を示すグラフである。
【符号の説明】
【００４０】
１            円筒形アルカリ蓄電池
２            正極端子
４            正極端子側側面端部
５            示温塗料
８            樹脂フィルム
２２          圧力スイッチ
３６、３７    熱の良導体からなる部材
【図１】
2005050744.tif 000002
【図２】
2005050744.tif 000003
【図３】
2005050744.tif 000004
【図４】
2005050744.tif 000005
【図５】
2005050744.tif 000006
【図６】
2005050744.tif 000007